【手続補正書】
【提出日】令和3年2月17日(2021.2.17)
【手続補正１】
【補正対象書類名】特許請求の範囲
【補正対象項目名】全文
【補正方法】変更
【補正の内容】
【特許請求の範囲】
【請求項１】
物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、又は、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、第６レンズ群とにより実質的に６個のレンズ群からなり、
広角端状態から望遠端状態への変倍時に、隣り合う各レンズ群の間隔が変化し、
前記第４レンズ群の少なくとも一部が合焦の際に光軸方向に移動する合焦レンズ群を構成し、
前記第１レンズ群が２枚のレンズから構成され、
以下の条件式を満足することを特徴とするズームレンズ。
０．９４５＜（β４ｗ）／（β４ｔ）＜１．２０
１．０００＜（ｆｔ／ｆｗ）／ＦＮｗ＜２．２００
但し、β４ｗ：広角端状態の前記第４レンズ群の倍率、
β４ｔ：望遠端状態の前記第４レンズ群の倍率、
ｆｗ：広角端状態のズームレンズの焦点距離、
ｆｔ：望遠端状態のズームレンズの焦点距離、
ＦＮｗ：広角端状態の開放Ｆ値。
【請求項２】
物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、又は、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、第６レンズ群とにより実質的に６個のレンズ群からなり、
広角端状態から望遠端状態への変倍時に、隣り合う各レンズ群の間隔が変化し、
前記第４レンズ群の少なくとも一部が合焦の際に光軸方向に移動する合焦レンズ群を構成し、
前記第１レンズ群が２枚のレンズから構成され、
以下の条件式を満足することを特徴とするズームレンズ。
０．９５２≦（β４５ｗ）／（β４５ｔ）＜１．３０
但し、β４５ｗ：広角端状態の前記第４レンズ群および前記第５レンズ群の合成倍率、
β４５ｔ：望遠端状態の前記第４レンズ群および前記第５レンズ群の合成倍率。
【請求項３】
物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、又は、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、第６レンズ群とにより実質的に６個のレンズ群からなり、
広角端状態から望遠端状態への変倍時に、隣り合う各レンズ群の間隔が変化し、
前記第４レンズ群の少なくとも一部が合焦の際に光軸方向に移動する合焦レンズ群を構成し、
前記第１レンズ群が２枚のレンズから構成され、
以下の条件式を満足することを特徴とするズームレンズ。
０．３０＜ＧＤ３／ｆｔ＜０．８０
１．３５＜ＦＮｗ＜２．０５
０．９４５＜（β４ｗ）／（β４ｔ）＜１．２０
但し、ＧＤ３：前記第３レンズ群の光軸上の厚さ、
ｆｔ：  望遠端状態のズームレンズの焦点距離、
ＦＮｗ：広角端状態の開放Ｆ値、
β４ｗ：広角端状態の前記第４レンズ群の倍率、
β４ｔ：望遠端状態の前記第４レンズ群の倍率。
【請求項４】
以下の条件式を満足することを特徴とする請求項１もしくは３に記載のズームレンズ。
０．８０＜（β４５ｗ）／（β４５ｔ）＜１．３０
但し、β４５ｗ：広角端状態の前記第４レンズ群および前記第５レンズ群の合成倍率、
β４５ｔ：望遠端状態の前記第４レンズ群および前記第５レンズ群の合成倍率。
【請求項５】
以下の条件式を満足することを特徴とする請求項２もしくは３に記載のズームレンズ。
１．０００＜（ｆｔ／ｆｗ）／ＦＮｗ＜２．３５０
但し、ｆｗ：広角端状態のズームレンズの焦点距離、
ｆｔ：望遠端状態のズームレンズの焦点距離、
ＦＮｗ：広角端状態の開放Ｆ値。
【請求項６】
以下の条件式を満足することを特徴とする請求項１もしくは２に記載のズームレンズ。
１．３５＜ＦＮｗ＜２．６５
但し、ＦＮｗ：広角端状態の開放Ｆ値。
【請求項７】
以下の条件式を満足することを特徴とする請求項１〜３のいずれかに記載のズームレンズ。
７．０°＜ωｔ＜２２．０°
但し、ωｔ：望遠端状態における半画角。
【請求項８】
広角端状態から望遠端状態への変倍時に、前記５レンズ群が光軸方向に移動することを特徴とする請求項１〜７のいずれかに記載のズームレンズ。
【請求項９】
前記第５レンズ群が１枚のレンズから構成されることを特徴とする請求項１〜８のいずれかに記載のズームレンズ。
【請求項１０】
以下の条件式を満足することを特徴とする請求項１〜９のいずれかに記載のズームレンズ。
０．８５＜（βＦｗ）／（βＦｔ）＜１．２０
但し、βＦｗ：広角端状態の前記合焦レンズ群の倍率、
βＦｔ：望遠端状態の前記合焦レンズ群の倍率。
【請求項１１】
以下の条件式を満足することを特徴とする請求項１〜１０のいずれかに記載のズームレンズ。
０．２１＜ＧＤ２／ｆｔ＜０．５５
但し、ＧＤ２：前記第２レンズ群の光軸上の厚さ。
【請求項１２】
以下の条件式を満足することを特徴とする請求項１〜１１のいずれかに記載のズームレンズ。
１．１０＜ｆ１／ｆｔ＜２．３０
但し、ｆ１：前記第１レンズ群の焦点距離。
【請求項１３】
以下の条件式を満足することを特徴とする請求項１〜１２のいずれかに記載のズームレンズ。
１．９０＜ＴＬｔ／ｆｔ＜３．８０
但し、ＴＬｔ：望遠端状態のズームレンズの全長。
【請求項１４】
以下の条件式を満足することを特徴とする請求項１〜１３のいずれかに記載のズームレンズ。
３０．０°＜ωｗ＜６０．０°
但し、ωｗ：広角端状態における半画角。
【請求項１５】
前記第２レンズ群は、物体側から順に並んだ、負の屈折力を有するレンズ、負の屈折力を有するレンズおよび正の屈折力を有するレンズから構成されることを特徴とする請求項１〜１４のいずれかに記載のズームレンズ。
【請求項１６】
前記第４レンズ群は、１枚の負の屈折力を有するレンズから構成されることを特徴とする請求項１〜１５のいずれかに記載のズームレンズ。
【請求項１７】
前記第１レンズ群を構成する２枚のレンズが接合レンズであり、物体側に凸面を向けたメニスカス形状を有することを特徴とする請求項１〜１６のいずれかに記載のズームレンズ。
【請求項１８】
前記第３レンズ群は、物体側から順に並んだ、正レンズ成分、負レンズ成分、正レンズ成分を有する、但しレンズ成分とは単レンズもしくは接合レンズをいうことを特徴とする請求項１〜１７のいずれかに記載のズームレンズ。
【請求項１９】
前記第１〜前記第５レンズ群における少なくとも一部が光軸と垂直な方向の変位成分を有する防振レンズ群を構成することを特徴とする請求項１〜１８のいずれかに記載のズームレンズ。
【請求項２０】
前記第２〜前記第４レンズ群における少なくとも一部が光軸と垂直な方向の変位成分を有する防振レンズ群を構成することを特徴とする請求項１〜１９のいずれかに記載のズームレンズ。
【請求項２１】
前記第３レンズ群における少なくとも一部が光軸と垂直な方向の変位成分を有する防振レンズ群を構成することを特徴とする請求項１〜１９のいずれかに記載のズームレンズ。
【請求項２２】
前記第４レンズ群に、少なくとも１面の非球面を有することを特徴とする請求項１〜２１のいずれかに記載のズームレンズ。
【請求項２３】
前記広角端状態から前記望遠端状態におけるいずれかの焦点距離で、前記合焦レンズ群以外のレンズ群の少なくとも一つを移動させて、合焦可能領域を近距離側へ移行させる構成であることを特徴とする請求項１〜２２のいずれかに記載のズームレンズ。
【請求項２４】
請求項１〜２３のいずれかに記載のズームレンズを搭載して構成される光学機器。
【手続補正２】
【補正対象書類名】明細書
【補正対象項目名】発明の名称
【補正方法】変更
【補正の内容】
【発明の名称】ズームレンズおよび光学機器
【手続補正３】
【補正対象書類名】明細書
【補正対象項目名】０００１
【補正方法】変更
【補正の内容】
【０００１】
本発明は、ズームレンズおよびこれを用いた光学機器に関する。
【手続補正４】
【補正対象書類名】明細書
【補正対象項目名】０００４
【補正方法】変更
【補正の内容】
【０００４】
第１の本発明に係るズームレンズは、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、又は、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、第６レンズ群とにより実質的に６個のレンズ群からなり、広角端状態から望遠端状態への変倍時に、隣り合う各レンズ群の間隔が変化し、前記第４レンズ群の少なくとも一部が合焦の際に光軸方向に移動する合焦レンズ群を構成し、前記第１レンズ群が２枚のレンズから構成され、以下の条件式を満足する。
【手続補正５】
【補正対象書類名】明細書
【補正対象項目名】０００５
【補正方法】変更
【補正の内容】
【０００５】
０．９４５＜（β４ｗ）／（β４ｔ）＜１．２０
１．０００＜（ｆｔ／ｆｗ）／ＦＮｗ＜２．２００
但し、β４ｗ：広角端状態の前記第４レンズ群の倍率、
β４ｔ：望遠端状態の前記第４レンズ群の倍率、
ｆｗ：広角端状態のズームレンズの焦点距離、
ｆｔ：望遠端状態のズームレンズの焦点距離、
ＦＮｗ：広角端状態の開放Ｆ値。
【手続補正６】
【補正対象書類名】明細書
【補正対象項目名】０００６
【補正方法】変更
【補正の内容】
【０００６】
第２の発明に係るズームレンズは、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、又は、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、第６レンズ群とにより実質的に６個のレンズ群からなり、広角端状態から望遠端状態への変倍時に、隣り合う各レンズ群の間隔が変化し、前記第４レンズ群の少なくとも一部が合焦の際に光軸方向に移動する合焦レンズ群を構成し、前記第１レンズ群が２枚のレンズから構成され、以下の条件式を満足する。
【手続補正７】
【補正対象書類名】明細書
【補正対象項目名】０００７
【補正方法】変更
【補正の内容】
【０００７】
０．９５２≦（β４５ｗ）／（β４５ｔ）＜１．３０
但し、β４５ｗ：広角端状態の前記第４レンズ群および前記第５レンズ群の合成倍率、
β４５ｔ：望遠端状態の前記第４レンズ群および前記第５レンズ群の合成倍率。
【手続補正８】
【補正対象書類名】明細書
【補正対象項目名】０００８
【補正方法】変更
【補正の内容】
【０００８】
第３の発明に係るズームレンズは、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群とにより実質的に５個のレンズ群からなり、又は、物体側から順に並んだ、正の屈折力を有する第１レンズ群と、負の屈折力を有する第２レンズ群と、正の屈折力を有する第３レンズ群と、負の屈折力を有する第４レンズ群と、正の屈折力を有する第５レンズ群と、第６レンズ群とにより実質的に６個のレンズ群からなり、広角端状態から望遠端状態への変倍時に、隣り合う各レンズ群の間隔が変化し、前記第４レンズ群の少なくとも一部が合焦の際に光軸方向に移動する合焦レンズ群を構成し、前記第１レンズ群が２枚のレンズから構成され、以下の条件式を満足する。
【手続補正９】
【補正対象書類名】明細書
【補正対象項目名】０００９
【補正方法】変更
【補正の内容】
【０００９】
０．３０＜ＧＤ３／ｆｔ＜０．８０
１．３５＜ＦＮｗ＜２．０５
０．９４５＜（β４ｗ）／（β４ｔ）＜１．２０
但し、ＧＤ３：前記第３レンズ群の光軸上の厚さ、
ｆｔ：  望遠端状態のズームレンズの焦点距離、
ＦＮｗ：広角端状態の開放Ｆ値、
β４ｗ：広角端状態の前記第４レンズ群の倍率、
β４ｔ：望遠端状態の前記第４レンズ群の倍率。
【手続補正１０】
【補正対象書類名】明細書
【補正対象項目名】００１０
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】